(57)【要約】【課題】  二枚貝の分類作業を効率良く行うことができる分類作業用ピンセットを提供する。【解決手段】  表面が曲面に形成された殻を有する二枚貝の分類作業用ピンセット１であって、先端が開かれたＶ形状をなし、Ｖ形状を狭める方向に弾性変形可能なグリップ部２と、該グリップ部２の先端に一体に設けられる一対の掴み板６、６を有する掴持部５とを備え、前記掴持部５の前記各掴み板６の内面７を、凹状の曲面に形成した分類作業用ピンセット１。【選択図】  図１
2011152608.tif 000002
【特許請求の範囲】
【請求項１】
表面が曲面に形成された殻を有する二枚貝の分類作業用ピンセットであって、
先端が開かれたＶ形状をなし、Ｖ形状を狭める方向に弾性変形可能なグリップ部と、該グリップ部の先端に一体に設けられる一対の掴み板を有する掴持部とを備え、
前記掴持部の前記各掴み板の内面を、凹状の曲面に形成したことを特徴とする分類作業用ピンセット。
【請求項２】
前記各掴み板の内面に凹凸を形成したことを特徴とする請求項１に記載の分類作業用ピンセット。
【請求項３】
前記各掴み板の内面に緩衝材を設けたことを特徴とする請求項１に記載の分類作業用ピンセット。
【請求項４】
前記一対の掴み板のうちの少なくとも一方に目盛りを設けたことを特徴とする請求項１〜３の何れか１項に記載の分類作業用ピンセット。
【請求項５】
前記各掴み板を透明体で形成したことを特徴とする請求項１〜４の何れか１項に記載の分類作業用ピンセット。
【請求項６】
前記掴持部の長手方向が前記グリップ部の長手方向に対して所定の角度をなすように構成したことを特徴とする請求項１〜５の何れか１項に記載の分類作業用ピンセット。
【請求項７】
少なくとも前記掴持部をプラスチックで形成したことを特徴とする請求項１〜６の何れか１項に記載の分類作業用ピンセット。
【発明の詳細な説明】
【技術分野】
【０００１】
本発明は、分類作業用ピンセットに関し、特に、底生生物のうちの二枚貝の分類作業に有効な分類作業用ピンセットに関する。
【背景技術】
【０００２】
環境調査においては、海、湖の底の岩、砂地、泥地等の底質から底生生物（ベントスともいう。）を回収し、回収した底生生物を種類毎に分類し、分類した種類毎に各種の調査を行っている。
【０００３】
例えば、回収した底生生物から二枚貝を拾い上げ、物差しで二枚貝の殻長を計測することにより、拾い上げた二枚貝を殻長毎に複数に分類し、各分類毎に調査を行っている。
【０００４】
上記のような調査を行う場合、数百個単位の二枚貝を回収し、各二枚貝を同じ向きにして、各二枚貝の殻の同じ位置に物差しを当てて、各二枚貝の殻長を計測する作業を繰り返し行わなければならないため、二枚貝の分類に非常に手間がかかる。
【０００５】
上記のような二枚貝の分類作業の効率化を図るために、特許文献１に記載のような目盛り付きピンセットを用い、この目盛り付きピンセットで二枚貝を掴むと同時に殻長を計測する方法が考えられる。
【先行技術文献】
【特許文献】
【０００６】
【特許文献１】実開昭５９−２４２６３号公報
【発明の概要】
【発明が解決しようとする課題】
【０００７】
しかし、上記のような構成の目盛り付きピンセットで二枚貝を掴持する場合、強く掴みすぎた場合には、二枚貝の殻の１箇所に荷重が集中して殻が割れることがあり、また、弱く掴んだ場合には、二枚貝がピンセットから滑り落ちることがある。
【０００８】
さらに、ピンセットの先端で二枚貝を同じ向きに掴んで、二枚貝の殻の最大寸法の部分にピンセットの目盛りを沿わさなければならないため、二枚貝をピンセットの先端部で掴んだ後に二枚貝の位置を微調整しなければならない。
【０００９】
従って、上記のような構成の目盛り付きピンセットでは、二枚貝の分類作業の効率を十分に高めることができない。
【００１０】
本発明は、上記のような従来の問題に鑑みなされたものであって、底生生物の二枚貝の分類作業を効率良く行うことができる分類作業用ピンセットを提供することを目的とする。
【課題を解決するための手段】
【００１１】
上記のような課題を解決するために、本発明は、以下のような手段を採用している。
すなわち、本発明は、表面が曲面に形成された殻を有する二枚貝の分類作業用ピンセットであって、先端が開かれたＶ形状をなし、Ｖ形状を狭める方向に弾性変形可能なグリップ部と、該グリップ部の先端に一体に設けられる一対の掴み板を有する掴持部とを備え、前記掴持部の前記各掴み板の内面を、凹状の曲面に形成したことを特徴とする。
【００１２】
本発明の分類作業用ピンセットによれば、掴持部の両掴み板間に二枚貝を位置し、グリップ部を手で握ることにより、両掴み板が互いに接近する方向へ弾性変形し、両掴み板間に二枚貝が掴持される。この場合、各掴み板の内面は凹状の曲面に形成されているので、各掴み板の内面に二枚貝の殻の表面を面接触させることができる。従って、両掴み板間から二枚貝が滑り落ちるようなことはなく、また、二枚貝の殻に局部的に荷重が集中して殻が割れるようなことはなく、二枚貝の分類作業を効率良く行うことができる。
【００１３】
また、本発明において、前記各掴み板の内面に凹凸を形成したこととしてもよい。
【００１４】
本発明の分類作業用ピンセットによれば、各掴み板の内面の凹凸により、各掴み板の内面と二枚貝の殻の表面との間の摩擦抵抗を高めることができるので、両掴み板間から二枚貝が滑り落ちるのを更に効果的に防止できる。
【００１５】
さらに、本発明において、前記各掴み板の内面に緩衝材を設けたこととしてもよい。
【００１６】
本発明の分類作業用ピンセットによれば、両掴み板間で二枚貝を掴んだ場合に、両掴み板の内面と二枚貝の殻の表面との間に緩衝材が介在し、この緩衝材によって二枚貝の殻に局部的に荷重が集中するのを防止でき、殻に割れが生じるのを更に効果的に防止できる。
【００１７】
さらに、本発明において、前記一対の掴み板のうちの少なくとも一方に目盛りを設けたこととしてもよい。
【００１８】
本発明の分類作業用ピンセットによれば、両掴み板間で二枚貝を掴持した状態で、掴み板の目盛りによって二枚貝の殻長を計測することができるので、二枚貝の分類作業効率を更に高めることができる。
【００１９】
さらに、本発明において、前記各掴み板を透明体で形成したこととしてもよい。
【００２０】
本発明の分類作業用ピンセットによれば、両掴み板間で二枚貝を掴んだ場合に、各掴み板の外側から二枚貝を透視できるので、二枚貝の殻の最大寸法の部分に目盛りを合わせる作業を容易に行うことができる。
【００２１】
さらに、本発明において、前記掴持部の長手方向が前記グリップ部の長手方向に対して所定の角度をなすように構成したこととしてもよい。
【００２２】
本発明の分類作業用ピンセットによれば、トレー等に回収した二枚貝を掴持する作業を効率良く行うことができる。
【００２３】
さらに、本発明において、少なくとも前記掴持部をプラスチックで形成したこととしてもよい。
【００２４】
本発明による分類作業用ピンセットによれば、両掴み部を金属とした場合よりも両掴み部の硬度を下げることができるので、両掴み部間で二枚貝を掴んだ場合に二枚貝の殻に割れが生じるのを防止できる。
【発明の効果】
【００２５】
以上、説明したように、本発明の分類作業用ピンセットによれば、回収した底生生物から二枚貝を分類する際に、掴持部の両掴み板間から二枚貝が滑り落ちるようなことはなく、また、二枚貝の殻が割れるようなこともない。さらに、両掴み板間で二枚貝を掴んだ状態で、二枚貝の殻長を掴み板の目盛りで計測できる。従って、二枚貝の分類作業を効率良く行うことができる。
【図面の簡単な説明】
【００２６】
【図１】本発明による分類作業用ピンセットの一実施の形態の全体を示した概略図である。
【図２】図１のＡ矢視図である。
【図３】掴持部の変形例を示した概略図である。
【発明を実施するための形態】
【００２７】
以下、図面を参照しながら本発明の実施の形態について説明する。
図１〜図３には、本発明による分類作業用ピンセットの一実施の形態が示されている。この分類作業用ピンセット１は、例えば、底生生物の二枚貝１０の分類作業に適用可能なものであって、海底、湖底の底の岩、砂地、泥地等の底質から底生生物を回収し、この回収した底生生物から二枚貝１０を拾い出し、拾い出した二枚貝１０を殻長で分類するのに有効なものである。
なお、本実施の形態においては、二枚貝１０のうち、表面１２が曲面に形成された二枚の殻１１を有する二枚貝１０を分類対象としている。
【００２８】
すなわち、本実施の形態の分類作業用ピンセット１は、先端が開かれたＶ形状をなすグリップ部２と、グリップ部２の先端に一体に設けられる掴持部５とを備え、グリップ部２を手で握ることにより、掴持部５によって二枚貝１０を掴持できるようになっている。
【００２９】
グリップ部２及び掴持部５は、グリップ部２の長手方向に対して掴持部５の長手方向が所定の角度をなすように構成されている。これにより、トレー等に回収した二枚貝１０を掴持する作業を効率良く行うことができる。
なお、グリップ２の長手方向と掴持部５の長手方向とが同一方向を向くように構成してもよい。
【００３０】
グリップ部２及び掴持部５は、全体を金属又はプラスチックで形成してもよいし、グリップ部２及び掴持部５の一方を金属で形成し、他方をプラスチックで形成してもよいし、グリップ部２及び掴持部５の両方を金属で形成し、掴持部５の後述する各掴持板６の表面にプラスチックをコーティングし、又はプラスチック製のカバーを装着するように構成してもよい。
【００３１】
グリップ部２は、例えば、帯板状の材料を長手方向の中央から折り曲げてＶ形状に形成したものであって、折り曲げ部４の両側の一対の帯板状のグリップ板３、３を手で握ることにより、両グリップ板３、３が折り曲げ部４を基点としてＶ形状を閉じる方向（互いに接近する方向）に弾性変形（移動）するようになっている。
【００３２】
掴持部５は、グリップ部２の各グリップ板３の先端にそれぞれ一体に設けられる帯板状の一対の掴み板６、６からなり、両グリップ板３、３を手で握ることにより、両掴み板６、６がグリップ部２の折り曲げ部４を基点として両グリップ板３、３と一体にＶ形状を閉じる方向（互いに接近する方向）に弾性変形（移動）し、両掴み板６、６間に二枚貝１０が掴持されるようになっている。
【００３３】
掴持部５の各掴み板６は、図２に示すように、帯板状をなすものを凹面側が対向するように湾曲させたものであって、両掴み板６、６の内面７、７間に二枚貝１０が掴持されるようになっている。この場合、各掴み板６は、内面７が二枚貝１０の殻１１の表面１２とほぼ合致した曲率の凹状の曲面となるように全体が湾曲されている。これにより、両掴み板６、６の内面７、７間に二枚貝１０を掴持した場合に、各掴み板６の内面７と二枚貝１０の殻１１の表面１２とを面接触させることができるので、両掴み板６、６間から二枚貝１０が滑り落ちるようなことはなく、また、二枚貝１０の殻１１に荷重が局部的に集中して、二枚貝１０の殻１１に割れが生じるようなことはない。
【００３４】
なお、各掴み板６は、全体を湾曲させずに内面７のみを二枚貝１０の殻１１の表面１２とほぼ合致した曲率の凹状の曲面に形成するように構成してもよい。また、各掴み板６の内面７に凹凸を設け、両掴み板６、６の内面７、７間で二枚貝１０の殻１１を掴持したときに、両掴み板６、６の内面７、７と二枚貝１０の殻１１の表面１２との間の摩擦力を高めるように構成してもよい。
【００３５】
各掴み板６には、長手方向に沿うように全長に亘って目盛り８が設けられ、この目盛り８が二枚貝１０の殻１１の最大寸法の部分に沿うように両掴み板６、６間に二枚貝１０を掴持することにより、両掴み板６、６間に二枚貝１０を掴持した状態で二枚貝１０の殻１１の殻長を計測することができる。
なお、目盛り８は、両方の掴み板６、６に設けずに、何れか一方の掴み板６のみに設けるように構成してもよい。
【００３６】
各掴み板６の内面７に、図３に示すように、スポンジ等の弾性材からなる緩衝材９を設けてもよい。このような緩衝材９を各掴み板６の内面７に設けることにより、両掴み板６、６間に二枚貝１０を掴持した場合に、二枚貝１０の殻１１に作用する荷重を緩衝させることができるので、二枚貝１０の殻１１に局部的に荷重が作用するようなことはなく、殻１１に割れが生じるのを防止できる。
【００３７】
各掴み板６は、透明体で形成してもよい。各掴み板６を透明体で形成することにより、両掴み板６、６間で掴持した二枚貝１０を各掴み板６の外側から透視できるので、二枚貝１０の殻１１の最大寸法の部分に沿って目盛り８が配置されているか否か等の確認することができ、二枚貝１０の殻長の計測を精度良く、かつ効率良く行うことができる。
【００３８】
そして、上記のように構成した分類作業用ピンセット１を用いて回収した二枚貝１０を殻長で分類するには、例えば、左手で二枚貝１０を押さえ、右手で分類用ピンセット１のグリップ部２を握り、分類用ピンセット１の掴持部５の両掴み板６、６間に二枚貝１０を位置し、この状態でグリップ部２を握り締めて、折り曲げ部４を基点として両掴み板６、６を互いに接近する方向に弾性変形させ、両掴み板６、６の内面７、７間に二枚貝１０の殻１１を掴持する。
【００３９】
この場合、二枚貝１０の殻１１の最大寸法の部分に両掴み板６、６が沿うように、両掴み板６、６間に二枚貝１０の殻１１を掴持することにより、二枚貝１０の殻１１の最大寸法の部分に沿って各掴み板６の目盛り８を当てることができ、二枚貝１０を掴持した状態で殻１１の殻長を同時に計測することができる。
【００４０】
従って、従来のように、物差しを用いて二枚貝１０の殻１１の殻長を計測する作業が不要となるので、二枚貝１０を殻長で分類する作業を効率良く行うことができる。
【００４１】
また、掴持部５の各掴み板６の内面７を、二枚貝１０の殻１１の表面１２にほぼ合致した曲率の凹状の曲面に形成しているので、両掴み板６、６間に二枚貝１０を掴持した場合に、各掴み板６の内面７に二枚貝１０の殻１１を面接触させることができ、両掴み板６、６間から二枚貝１０が滑り落ちるようなことはなく、また、二枚貝１０の殻１１に局部的に荷重が集中して、殻１１に割れが生じるようなこともなく、二枚貝の分類作業を効率良く行うことができる。
【００４２】
さらに、各掴み板６の内面７に凹凸を設けた場合には、両掴み板６、６の内面７、７と二枚貝１０の殻１１の表面１２との間の摩擦力を高めることができるので、両掴み板６、６間から二枚貝１０が滑り落ちるのを更に効果的に防止できる。
【００４３】
さらに、各摘み板６の内面７に緩衝材９を設けた場合には、緩衝材９によって二枚貝１０の殻１１に作用する荷重を緩衝させることができるので、更に効果的に二枚貝１０の殻１１に割れが生じるのを防止できる。
【００４４】
さらに、掴持部５の各掴み板６を透明体で形成することにより、掴持部５の両掴み板６、６間に二枚貝１０を掴持した状態で、各掴み板６の外側から二枚貝１０の殻１１の最大寸法の部分に目盛り８が配置されているか否か等を確認できるので、更に効率良く二枚貝１０の分類作業を行うことができる。
【００４５】
なお、前記の説明においては、本発明による分類作業用ピンセット１を二枚貝１０の分類作業に適用したが、表面が曲面に形成された各種の対象物の分類作業に本発明の分類作業用ピンセット１を使用してもよいものであり、その場合にも同様の作用効果を奏する。
【符号の説明】
【００４６】
１  分類作業用ピンセット
２  グリップ部
３  グリップ板
４  折り曲げ部
５  掴持部
６  掴み板
７  内面
８  目盛り
９  緩衝材
１０  二枚貝
１１  殻
１２  表面
【図１】
2011152608.tif 000003
【図２】
2011152608.tif 000004
【図３】
2011152608.tif 000005